(57)【要約】  無駄運転判定部（１０４）は、運転データに基づいて生成した無駄運転判定用のデータと、閾値記憶部（１０９）に記憶されている閾値とを比較することで、空調機（２）が無駄運転をしているか否かを判定する。無駄運転報知部（１０５）は、無駄運転判定部（１０４）が無駄運転をしていると判定した際に、その旨をユーザに報知する。評価入力部（１０６）は、ユーザから無駄運転が実際に生じているか否を評価した結果を受け付ける。閾値調整部（１０７）は、評価入力部（１０６）から入力された評価結果と、判定結果記憶部（１１０）に記憶されている過去の判定結果とに基づいて、無駄運転の有無を判定するための閾値を調整する。
2012172690.tif 000002
【特許請求の範囲】
【請求項１】
空調機の運転データを取得する運転データ取得手段と、
前記取得した運転データと、所定の基準と、に基づいて、前記空調機が無駄運転をしているか否かを判定する無駄運転判定手段と、
前記無駄運転判定手段が無駄運転をしていると判定した際に、その旨を報知する無駄運転報知手段と、
前記無駄運転の判定に対するユーザの評価結果に基づいて、前記所定の基準を調整する基準調整手段と、
を備える空調管理装置。
【請求項２】
ユーザから、前記無駄運転の判定に対する評価結果の入力を受け付ける評価入力手段をさらに備え、
前記基準調整手段は、前記評価入力手段が受け付けた評価結果に基づいて、前記所定の基準を調整する、
請求項１に記載の空調管理装置。
【請求項３】
前記基準調整手段は、
前記無駄運転報知手段による無駄運転の報知から所定時間経過後に取得した運転データから無駄運転を防止するための改善行為がなされたか否かを判定する改善行為判定手段をさらに備え、
前記基準調整手段は、前記改善行為判定手段の判定結果に基づいて、前記所定の基準を調整する、
請求項１に記載の空調管理装置。
【請求項４】
前記無駄運転判定手段による前記無駄運転の判定を開始するためのトリガを検出するトリガ検出手段をさらに備える、
請求項１乃至３の何れか１項に記載の空調管理装置。
【請求項５】
前記無駄運転判定手段は、前記トリガ検出時からそれぞれ異なる時間経過後の複数の運転データと、前記所定の基準と、に基づいて、前記空調機が無駄運転をしているか否かを判定する、
請求項４に記載の空調管理装置。
【請求項６】
空調機の運転データを取得する運転データ取得ステップと、
前記取得した運転データと、所定の基準と、に基づいて、前記空調機が無駄運転をしているか否かを判定する無駄運転判定ステップと、
前記無駄運転判定ステップで無駄運転をしていると判定した際に、その旨を報知する無駄運転報知ステップと、
前記無駄運転の判定に対するユーザの評価結果に基づいて、前記所定の基準を調整する基準調整ステップと、
を備える空調管理方法。
【請求項７】
コンピュータを、
空調機の運転データを取得する運転データ取得手段、
前記取得した運転データと、所定の基準と、に基づいて、前記空調機が無駄運転をしているか否かを判定する無駄運転判定手段、
前記無駄運転判定手段が無駄運転をしていると判定した際に、その旨を報知する無駄運転報知手段、
前記無駄運転の判定に対するユーザの評価結果に基づいて、前記所定の基準を調整する基準調整手段、
として機能させるプログラム。
【発明の詳細な説明】
【技術分野】
【０００１】
本発明は、空調管理装置、空調管理方法、及び、プログラムに関する。
【背景技術】
【０００２】
空調機の運転において、空調空間内の窓やドアが開放されている状況などでは、空調機が暖めた（冷やした）空気の多くが逃げてしまう。このような状況では、空調機の出力を高めたり、長時間運転させたりしなければならない非効率な無駄運転が発生し、省電力化の妨げとなる。【０００３】
特許文献１には、このような無駄運転を防止するための空調調和装置の監視装置が開示されている。この監視装置は、空気機器膨張弁の開度の移動平均を算出し、この移動平均が所定の閾値を越えた状態が一定時間継続すると、空調機が無駄運転していると判定し、管理者への報知を行う。【０００４】
ところで、空調機が設置される空間の環境（窓やドアの数やサイズなど）は様々である。従って、特許文献１に記載の監視装置において、上記閾値は、空調機が設置される環境に応じた適切な値に設定される必要がある。この点に関して、特許文献１に記載の監視装置では、この閾値を１日内の温度変化の傾向や外気温度や過去所定日数の監視パラメータの履歴に基づいて変化させることで、適切な閾値に自動的に設定する。
【先行技術文献】
【特許文献】
【０００５】
【特許文献１】特開２００６−３３６９０１号公報
【発明の概要】
【発明が解決しようとする課題】
【０００６】
しかしながら、特許文献１に記載の発明では、監視装置が無駄運転か否かを判定した判定結果が実際とは異なる場合の対処については考慮がなされていなかった。従って、このような場合、閾値が適切に設定されず、正確に無駄運転の有無を判定することができなくなる可能性があった。【０００７】
本発明は、上記実情に鑑みてなされたものであり、従来よりも精度よく無駄運転の有無を判定することができる空調管理装置、空調管理方法、及び、プログラムを提供することを目的とする。
【課題を解決するための手段】
【０００８】
上記目的を達成するため、本発明の空調管理装置は、
空調機の運転データを取得する運転データ取得手段と、
前記取得した運転データと、所定の基準と、に基づいて、前記空調機が無駄運転をしているか否かを判定する無駄運転判定手段と、
前記無駄運転判定手段が無駄運転をしていると判定した際に、その旨を報知する無駄運転報知手段と、
前記無駄運転の判定に対するユーザの評価結果に基づいて、前記所定の基準を調整する基準調整手段と、
を備える。
【発明の効果】
【０００９】
本発明によれば、無駄運転の判定に対するユーザの評価結果に基づいて、無駄運転判定用の基準を自動的に調整する。従って、従来よりも精度よく無駄運転の有無を判定することができる。
【図面の簡単な説明】
【００１０】
【図１】本発明の第１の実施形態に係る空調管理装置を備えたシステムの構成を示す図である。
【図２】本発明の第１の実施形態に係る空調管理装置の機能構成を示すブロック図である。
【図３】運転データの例を示す図である。
【図４】空調対象エリアの温度と時刻との関係を示す図である。
【図５】判定結果データの例を示す図である。
【図６】閾値データの例を示す図である。
【図７】第１の実施形態の初期運転処理を説明するためのフローチャートである。
【図８】第１の実施形態の通常運転処理を説明するためのフローチャートである。
【図９】閾値を調整する処理を説明するための図である。
【図１０】本発明の第２の実施形態に係る空調管理装置の機能構成を示すブロック図である。
【図１１】第２の実施形態の通常運転処理を説明するためのフローチャートである。
【発明を実施するための形態】
【００１１】
以下、本発明の各実施形態について、図面を参照しながら詳細に説明する。なお、図中同一または相当部分には同一符号を付す。
【００１２】
<<第１の実施形態>>
本発明の第１の実施形態に係る空調管理装置１について説明する。空調管理装置１は、図１に示すように、空調対象エリア内に設置された空調機２と、この空調対象エリア内の温度や湿度を計測するセンサ３とに接続される。空調管理装置１は、空調機２の現在の運転状態や、センサ３の計測値などに基づいて、空調機２の運転制御や、無駄運転の判別を行う。空調管理装置１は、物理的には、ＣＰＵ（Central Processing Unit）、ＲＯＭ（Read Only Memory）、ＲＡＭ（Random Access Memory）、ハードディスクドライブあるいはフラッシュメモリ等の読み書き可能な半導体メモリ、通信インタフェース等を備えたコンピュータである。
【００１３】
空調管理装置１は、機能的には、図２に示すように、運転データ取得部１０１と、トリガ検出部１０２と、判定用データ生成部１０３と、無駄運転判定部１０４と、無駄運転報知部１０５と、評価入力部１０６と、閾値調整部１０７と、運転データ記憶部１０８と、閾値記憶部１０９と、判定結果記憶部１１０と、を備える。なお、空調機２の運転を制御する構成については、本発明の主要な構成ではないため、図示していない。
【００１４】
運転データ取得部１０１は、所定時間毎（例えば５分毎）に、空調機２から運転状態を示す情報と、センサ３が計測した測定値（例えば、空調対象エリア内の温度（室温）等）とを取得する。そして、運転データ取得部１０１は、取得したこれらの情報と現在日時情報とを対応付けた運転データを運転データ記憶部１０８に記憶する。
【００１５】
トリガ検出部１０２は、運転データ記憶部１０８に記憶されている運転データを監視し、無駄運転を判別する処理を開始するためのトリガを検出する。本実施形態では、停止状態（電源ＯＦＦの状態）から空調機２の冷房運転が開始されたとき、及び、冷房運転により室温を一定にキープできている定常状態が発生したときを、上記のトリガとして検出する。なお、以下の説明では、電源ＯＦＦの状態から冷房運転が開始されたときを「冷房運転開始」トリガ、冷房運転により室温を一定にキープできている定常状態が発生したときを「冷房定常」トリガと称する。
【００１６】
判定用データ生成部１０３は、トリガ検出部１０２が、上記の何れかのトリガを検出すると、トリガ検出時点から所定時間経過分の運転データを運転データ記憶部１０８から取得する。そして、判定用データ生成部１０３は、取得した運転データから、無駄運転判定用のデータを生成する。
【００１７】
無駄運転判定部１０４は、判定用データ生成部１０３が生成した無駄運転判定用のデータと閾値記憶部１０９に記憶されている閾値データとを比較することにより無駄運転の有無を判定し、判定結果を判定結果記憶部１１０に格納する。
【００１８】
無駄運転報知部１０５は、無駄運転判定部１０４が無駄運転をしていると判定した際に、所定の態様でその旨をユーザに報知する。例えば、無駄運転報知部１０５は、ＬＥＤランプやスピーカを備え、ＬＥＤランプを点灯させたり、スピーカから音声を出力させたりすることにより、無駄運転の発生をユーザに報知する。
【００１９】
評価入力部１０６は、例えば所定のボタンを備え、ユーザから、無駄運転が実際に生じているか否を評価した結果を受け付ける。例えば、評価入力部１０６が備える所定のボタンを「Ｙｅｓ」ボタンと「Ｎｏ」ボタンとから構成されるものとした場合、ユーザは、無駄運転が実際に生じていれば「Ｙｅｓ」ボタン、生じていなければ「Ｎｏ」ボタンを押下することで、無駄運転の評価結果を入力することができる。評価入力部１０６は、ユーザのボタン操作等により入力された評価結果を閾値調整部１０７に出力する。
【００２０】
閾値調整部１０７は、評価入力部１０６から入力された評価結果と、判定結果記憶部１１０に記憶した過去の判定結果とに基づいて、無駄運転の有無を判定するための閾値を調整する。
【００２１】
運転データ記憶部１０８には、図３に示すように、運転データ取得部１０１が所定時間毎（この例では５分毎）に取得した運転データが格納される。図３の例では、運転データは、「日時」と、「運転モード」と、「設定温度」と、「室温」とが対応付けられたデータである。なお、「運転モード」と「設定温度」は、空調機２のコントローラから取得した情報である。また、「室温」は、センサ３が計測した空調対象エリアの温度（室温）である。また、「運転モード」は、空調機２がどのなようなモードで運転されていたかを示す情報であり、例えば、「冷房」、「暖房」、「除湿」、「送風」、「電源ＯＦＦ」等を示す。
【００２２】
図２に戻り、判定結果記憶部１１０には、無駄運転判定部１０４が無駄運転の有無を判定した結果が記憶される。具体的には、判定結果記憶部１１０には、トリガを示す情報と、当該トリガ検出時に判定された無駄運転の判定結果を示す情報と、当該判定に利用した判定用データとが対応付けられた判定結果データが格納される。なお、本実施形態では、トリガ検出時点から５分後、１０分後、及び、１５分後の温度変化率を判定用データとして用いる。なお、本実施形態では、空調機２の起動時の室温と設定温度との差に対する、トリガ検出時点から対象時点までの室温変化の割合を、この対象時点における温度変化率として算出する。
【００２３】
ここで、温度変化率について、具体例を挙げて説明する。図４は、空調機２が配置された空調対象エリアの温度（室温）と時刻との関係を示した図である。時刻ｔａの室温はＴａであり、この時刻ｔａに空調機２が起動するとともに「冷房運転開始」トリガが検出される。また、時刻ｔｃに室温が設定温度Ｔｃに到達する。また、時刻ｔａから１５分経過後の時刻ｔｂの室温はＴｂである。この場合、時刻ｔｂの温度変化率は、以下の式のように算出することができる。
（時刻ｔｂの温度変化率）＝（Ｔｂ−Ｔａ）／｜Ｔａ−Ｔｃ｜
【００２４】
ここで、判定結果データの例を図５に示す。
図５（Ａ）は、「冷房運転開始」トリガ検出時に行われた無駄運転の判定の判定結果を示す判定結果データである。この図から、トリガ検出時点から５分後、１０分後、及び１５分後の温度変化率が、それぞれ「−３０パーセント」、「−５０パーセント」、「−７０パーセント」であり、これらの温度変化率から、無駄運転ではない（無駄運転無し）と判定されたことがわかる。
【００２５】
また、図５（Ｂ）は、「冷房定常」トリガ検出時に行われた無駄運転の判定の判定結果を示す判定結果データである。この図から、トリガ検出時点から５分後、１０分後、及び１５分後の温度変化率が、それぞれ「０パーセント」、「−１０パーセント」、「０パーセント」であり、これらの温度変化率から、無駄運転無しと判定されたことがわかる。
【００２６】
図２に戻り、閾値記憶部１０９には、無駄運転判定用の閾値が記憶される。具体的には、閾値記憶部１０９には、トリガを示す情報と、該トリガ検出時に無駄運転を判定するための閾値データが記憶される。
【００２７】
ここで、閾値データの例を図６に示す。
図６（Ａ）に示す閾値データは、「冷房運転開始」トリガ検出時の無駄運転の判定で使用される閾値データを示したものである。この図から、「冷房運転開始」トリガ検出時点から５分後の温度変化率の絶対値が「２０パーセント以上」であり、１０分後の温度変化率が「３０パーセント以上」であり、１５分後の温度変化率が「４０パーセント以上」である場合には、無駄運転が無いものと判定されることがわかる。
【００２８】
また、図６（Ｂ）に示す閾値データは、「冷房定常」トリガ検出時の無駄運転の判定で使用される閾値データを示したものである。この図から、「冷房定常」トリガ検出時点から５分後の温度変化率の絶対値が「１０パーセント以下」であり、１０分後の温度変化率が「１０パーセント以下」であり、１５分後の温度変化率が「３０パーセント以下」である場合には、無駄運転が無いものと判定されることがわかる。
【００２９】
続いて、空調機２で冷房運転をする場合を例に、空調管理装置１で実施される処理について説明する。
【００３０】
（初期運転処理）
空調管理装置１を設置した直後は、無駄運転の有無を判定するための閾値が閾値記憶部１０９に記憶されていない。そこで、空調管理装置１は初期運転処理を行い、仮の閾値を設定する。初期運転処理の詳細について、図７のフローチャートを参照して説明する。
【００３１】
初期運転処理は、例えば、閾値（閾値データ）が閾値記憶部１０９に記憶されていない状態で空調管理装置１が起動された場合に開始される。なお、初期運転処理と並行して、運転データ取得部１０１は、定期的に運転データを取得して運転データ記憶部１０８に格納する。
【００３２】
初期運転処理が開始されると、まず、トリガ検出部１０２は、運転データ記憶部１０８に記憶される運転データを監視して、無駄運転の判定を開始するトリガを検出したか否かを判別する（ステップＳ１０１）。
【００３３】
トリガを検出した場合（ステップＳ１０１；Ｙｅｓ）、判定用データ生成部１０３は、当該トリガを検出した時点から、判定に使用する運転データが運転データ記憶部１０８に蓄積（記憶）されるまで待機する（ステップＳ１０２）。本実施形態では、５分、１０分、及び、１５分経過後の各運転データが記憶されるまで待機する。
【００３４】
判定に使用する運転データが記憶されると、判定用データ生成部１０３は、当該運転データの内容から、無駄運転判定用のデータ（温度変化率）を生成（算出）する（ステップＳ１０３）。
【００３５】
続いて、無駄運転判定部１０４は、ステップＳ１０１で検出したトリガを示す情報と、ステップＳ１０３で生成した無駄運転判定用のデータ（トリガ検出時点から５分、１０分、１５分経過後の温度変化率）と、無駄運転無しを示す情報とを対応付けた判定結果データを、判定結果記憶部１１０に記憶する（ステップＳ１０４）。なお、初期運転処理では、無駄運転判定用の閾値が閾値記憶部１０９に記憶されていないため、無駄運転判定部１０４は、無駄運転の判定処理を行わず、必ず無駄運転無しとした判定結果データを記憶するものとする。
【００３６】
続いて、閾値調整部１０７は、無駄運転を判定するための仮の閾値（閾値データ）を生成して閾値記憶部１０９に保存する（ステップＳ１０５）。
【００３７】
例えば、閾値調整部１０７は、「冷房運転開始」トリガ検出時に用いる無駄運転判定用の閾値としては、ステップＳ１０３で取得した５分、１０分、１５分経過後の温度変化率の絶対値から、それぞれ、１０パーセントポイント、２０パーセントポイント、３０パーセントポイント減算した値を、当該トリガ検出時の判定で用いる５分、１０分、１５分経過後の閾値として、閾値記憶部１０９に記憶すればよい。従って、図５（Ａ）に示す判定結果データから、図６（Ａ）に示す閾値データが作成されることとなる。
【００３８】
また、例えば、閾値調整部１０７は、「冷房定常」トリガ検出時に用いる無駄運転判定用の閾値としては、ステップＳ１０３で取得した５分、１０分、１５分経過後の温度変化率から、それぞれ、１０パーセントポイント、２０パーセントポイント、３０パーセントポイント大きい値を、当該トリガ検出時の判定で用いる、５分、１０分、１５分経過後の閾値として、閾値記憶部１０９に記憶すればよい。従って、図５（Ｂ）に示す判定結果データから、図６（Ｂ）に示す閾値データが作成されることとなる。
【００３９】
続いて、閾値調整部１０７は、終了条件を満たすか否かを判別する（ステップＳ１０６）。例えば、閾値調整部１０７は、「冷房運転開始」トリガと「冷房定常」トリガの両方のトリガに対応する閾値を設定できた場合に、終了条件を満たすと判別すればよい。
【００４０】
終了条件を満たさない場合（ステップＳ１０６；Ｎｏ）、処理はステップＳ１０１に戻る。終了条件を満たす場合（ステップＳ１０６；Ｙｅｓ）、初期運転処理は終了する。
【００４１】
続いて、具体例を挙げて、初期運転処理について説明する。例えば、図３に示すように運転データが運転データ記憶部１０８に記憶される場合を想定し、２０１１年８月１日１２時に、「冷房運転開始」トリガが検出された場合を考える。この場合、無駄運転判定用のデータとして、トリガ検出時から５分、１０分、及び、１５分経過後である、１２時５分、１２時１０分、１２時１５分の各運転データから温度変化率が算出される。１２時５分、１２時１０分、及び、１２時１５分におけるトリガ検出時（１２時）からの温度変化は、−３℃、−５℃、−７℃である。また、空調機２の起動時（１２時）の設定温度と室温との差は１０℃である。従って、１２時５分、１２時１０分、１２時１５分の温度変化率は、「−３０％」、「−５０％」、「−７０％」となる。また、初期運転処理なので必ず無駄運転無しと判定される。従って、図５（Ａ）に示す判定結果データが作成される。また、算出した温度変化率から所定値を加算した値が閾値となるため、この判定結果データから、最終的に、図６（Ａ）に示す閾値データが作成される。
【００４２】
また２０１１年８月１日１３時に、「冷房定常」トリガが検出された場合を考える。この場合、無駄運転判定用のデータとして、トリガ検出時から５分、１０分、及び、１５分経過後である、１３時５分、１３時１０分、１３時１５分の各運転データから温度変化率が算出される。１３時５分、１３時１０分、及び、１３時１５分におけるトリガ検出時（１３時）からの温度変化は、０℃、−１℃、０℃である。また、空調機２の起動時（１２時）の設定温度と室温との差は１０℃である。従って、１３時５分、１３時１０分、１３時１５分の温度変化率は、「０％」、「−１０％」、「０％」となる。また、初期運転処理なので必ず無駄運転無しと判定される。従って、図５（Ｂ）に示す判定結果データが作成される。また、算出した温度変化率から所定値を加算した値が閾値となるため、この判定結果データから、最終的に、図６（Ｂ）に示す閾値データが作成される。
【００４３】
このように、初期運転処理により、トリガ検出時点から所定時間経過後の運転データに基づいて、判定用のデータが生成される。そして、この判定用のデータを基準として、無駄運転判定用の仮の閾値が設定される。以下、この閾値を基に、無駄運転の有無の判定がなされる。
【００４４】
（通常運転処理）
続いて、前述した初期運転処理の完了後に実施される通常運転処理について、図８のフローチャートを参照して説明する。
【００４５】
初期運転処理の完了に応答して、トリガ検出部１０２は、運転データ記憶部１０８に記憶される運転データを監視して、無駄運転の判定を開始するトリガを検出したか否かを判別する（ステップＳ２０１）。
【００４６】
トリガを検出した場合（ステップＳ２０１；Ｙｅｓ）、判定用データ生成部１０３は、当該トリガを検出した時点から、判定に使用する運転データが運転データ記憶部１０８に蓄積（記憶）されるまで待機する（ステップＳ２０２）。本実施形態では、５分、１０分、及び、１５分経過後の各運転データが記憶されるまで待機する。
【００４７】
判定に使用する運転データが記憶されると、判定用データ生成部１０３は、当該運転データの内容から、無駄運転判定用のデータを生成する（ステップＳ２０３）。具体的には、前述の初期運転処理と同様に、判定用データ生成部１０３は、無駄運転判定用のデータとして、トリガ検出時点から５分、１０分、及び、１５分経過後の温度変化率を算出する。
【００４８】
続いて、無駄運転判定部１０４は、ステップＳ２０３で生成した無駄運転判定用のデータ（温度変化率）と、閾値記憶部１０９に記憶されている閾値データとを比較することにより、無駄運転が発生しているか否かを判定する（ステップＳ２０４）。
【００４９】
例えば、検出したトリガが「冷房運転開始」トリガである場合、無駄運転判定部１０４は、当該トリガに対応する閾値データを閾値記憶部１０９から取得する。そして、無駄運転判定部１０４は、トリガ検出時から５分後の温度変化率の絶対値が、取得した閾値結果データが示す５分後の温度変化率（即ち、５分後の閾値）未満で有るか否かを判定する。５分後の閾値未満である場合、無駄運転判定部１０４は、「無駄運転有り」と直ちに判定する。一方、トリガ検出時から５分後の温度変化率の絶対値が、５分後の閾値未満で無い場合、無駄運転判定部１０４は、さらに、トリガ検出時から１０分後、及び、１５分後の温度変化率の絶対値と、各時間経過に対応する閾値の大きさとを比較する。その比較の結果、トリガ検出時から１０分後、及び、１５分後の温度変化率の絶対値が、何れも、対応する閾値未満である場合、無駄運転判定部１０４は、「無駄運転有り」と判定する。一方、そうでない場合は、無駄運転判定部１０４は、「無駄運転無し」と判定する。
【００５０】
また、検出したトリガが「冷房定常」トリガである場合、無駄運転判定部１０４は、当該トリガに対応する閾値データを閾値記憶部１０９から取得する。そして、無駄運転判定部１０４は、トリガ検出時から５分後の温度変化率の絶対値が、取得した閾値結果データが示す５分後の温度変化率（即ち、５分後の閾値）より大きいか否かを判定する。そして閾値より大きい場合、無駄運転判定部１０４は、「無駄運転有り」と直ちに判定する。一方、トリガ検出時から５分後の温度変化率の絶対値が、５分後の閾値以下である場合、無駄運転判定部１０４は、さらに、トリガ検出時から１０分後、及び、１５分後の温度変化率の絶対値と、各時間経過に対応する閾値の大きさとを比較する。その比較の結果、トリガ検出時から１０分後、及び、１５分後の温度変化率の絶対値が、何れも、対応する閾値より大きい場合、無駄運転判定部１０４は、「無駄運転有り」と判定する。一方、そうでない場合は、無駄運転判定部１０４は、「無駄運転無し」と判定する。
【００５１】
続いて、無駄運転判定部１０４は、ステップＳ２０１で検出したトリガを示す情報と、ステップＳ２０３で生成した無駄運転判定用のデータ（トリガ検出時点から５分、１０分、１５分経過後の温度変化率）と、ステップＳ２０４で判定した無駄運転の有無を示す情報とを対応付けた判定結果データを、判定結果記憶部１１０に記憶する（ステップＳ２０５）。
【００５２】
ステップＳ２０４で無駄運転無しと判定された場合（ステップＳ２０６；Ｎｏ）、無駄運転の報知を実施する必要はなく、ステップＳ２０１に処理は戻る。
【００５３】
また、ステップＳ２０４で無駄運転有りと判定された場合（ステップＳ２０６；Ｙｅｓ）、無駄運転報知部１０５は、ＬＥＤランプを点灯させる等して、無駄運転の発生をユーザに報知する（ステップＳ２０７）。
【００５４】
ユーザは、無駄運転の報知を受けると、実際に無駄運転が行われているか否かを評価し、評価入力部１０６を介して評価結果を入力する。例えば、ユーザは、部屋のドアや窓が開放したまま空調機２を冷房運転している場合は、そこから冷気が逃げるため、無駄運転しているものと評価（判定）すればよい。また、ドアや窓が閉められている場合には、ユーザは、空調管理装置１が誤った判定をしているものと判断し、無駄運転は無いと評価すればよい。
【００５５】
評価入力部１０６がユーザからの評価結果を受け付けると（ステップＳ２０８）、閾値調整部１０７は、その評価結果を判定結果データに反映する（ステップＳ２０９）。具体的には、ユーザからの評価結果が無駄運転無しを示す場合、閾値調整部１０７は、ステップＳ２０５で無駄運転有りとして記録した判定結果データを、無駄運転無しを示すデータに更新する。
【００５６】
続いて、閾値調整部１０７は、判定結果記憶部１１０に記憶されている各判定結果データの内容から、閾値データの各閾値を調整する（ステップＳ２１０）。
【００５７】
例えば、「冷房定常」トリガ検出時の無駄運転の判定で利用する閾値データであれば、閾値調整部１０７は、判定結果記憶部１１０から、「冷房定常」トリガ検出時に対応する判定結果データを取得する。そして、閾値調整部１０７は、取得した判定結果データから、各時間経過（５分、１０分、１５分）毎の温度変化率において、それぞれ、その絶対値が無駄運転無しと判定された最大のものと無駄運転有りと判定された最小のものとを抽出し、両者の中間値をそれぞれ求める。そして、閾値調整部１０７は、「冷房定常」トリガに対応する閾値データの各経過時間後の閾値（温度変化率）毎に、それぞれ求めた中間値を設定する。
【００５８】
また、「冷房運転開始」トリガ検出時の無駄運転の判定で利用する閾値データであれば、閾値調整部１０７は、判定結果記憶部１１０から、「冷房運転開始」トリガ検出時に対応する判定結果データを取得する。そして、閾値調整部１０７は、取得した判定結果データから、各時間経過毎の温度変化率において、それぞれ、その絶対値が無駄運転無しと判定された最小のものと無駄運転有りと判定された最大のものとを抽出し、両者の中間値をそれぞれ求める。そして、閾値調整部１０７は、「冷房運転開始」トリガに対応する閾値データの各時間経過後の閾値毎に、それぞれ求めた中間値を設定する。
【００５９】
ここで、閾値を調整する処理について、図９を参照して説明する。図９は、「冷房定常」トリガ検出時に判定された各判定結果データの「５分後」の温度変化率をプロットしたものである。無駄運転無しと判定された○で示す判定結果データＡ〜Ｃと、無駄運転有りと判定された●で示す判定結果データＤ〜Ｆとが、前回までの通常運転処理により、判定結果記憶部１１０に記憶されているものとする。また、◎で示す判定結果データＧは、今回の通常運転処理により、新規に記憶されるとともに、ユーザからの評価を受けたデータである。
【００６０】
ここで、データＧがユーザにより無駄運転有りと判定（評価）された場合を考える。この場合、無駄運転有りと判定された判定結果データの中で温度変化率が最小のデータはデータＧとなる。また、無駄運転無しと判定された判定結果データの中で温度変化率が最大のデータはデータＣである。従って、閾値調整部１０７は、データＣの温度変化率と、データＧの温度変化率との中間の値を「５分後」の閾値に設定する。尚、閾値調整部１０７は、無駄運転無しと判定されたデータＡ，Ｂ，Ｃの温度変化率の平均値と、無駄運転有りと判定されたデータＧ，Ｄ，Ｅ，Ｆの温度変化率の平均値と、の中間の値を「５分後」の閾値に設定してもよい。
また、データＧがユーザにより無駄運転無しと判定（評価）された場合を考える。この場合、無駄運転無しと判定された判定結果データの中で温度変化率が最大のデータはデータＧとなる。また、無駄運転有りと判定された判定結果データの中で温度変化率が最小のデータはデータＤである。従って、閾値調整部１０７は、データＧの温度変化率と、データＤの温度変化率との中間の値を「５分後」の閾値に設定する。尚、閾値調整部１０７は、無駄運転無しと判定されたデータＡ，Ｂ，Ｃ，Ｇの温度変化率の平均値と、無駄運転有りと判定されたデータＤ，Ｅ，Ｆの温度変化率の平均値と、の中間の値を「５分後」の閾値に設定してもよい。
このように、ユーザの評価結果（無駄運転が実際に行われていたか否か）に応じて、異なる値に閾値が調整される。
【００６１】
図８に戻り、閾値の調整が終了すると、ステップＳ２０１に処理は戻る。以下、トリガを検出した際に無駄運転の有無を判定して無駄運転が有った場合にそれを報知し、ユーザからの評価に応じて閾値を調整する一連の処理が繰り返される。
【００６２】
このように、第１の実施形態に係る空調管理装置１では、無駄運転が有ると判定した際に、その旨をユーザに報知し、ユーザからその判定に対する評価を受け付ける。そして、当該評価を考慮に入れて、無駄運転判定用の閾値を調整する。従って、精度よく無駄運転を判定することが可能となる。
【００６３】
<<第２の実施形態>>
第１の実施形態では、ユーザによって入力された無駄運転の判定に対する評価結果に基づいて、無駄運転判定用の閾値を調整した。本発明の第２の実施形態では、ユーザからの直接的な評価結果の入力がなくても、ユーザの評価結果を勘案し、無駄運転判定用の閾値を調整可能にしたことを特徴とする。
【００６４】
本発明の第２の実施形態に係る空調管理装置１０は、図１０に示すように、評価入力部１０６が無く、改善行為判定部１１１を新たに備える点が、第１の実施形態と異なる。
【００６５】
改善行為判定部１１１は、運転データ記憶部１０８に記憶される運転データの内容から、ユーザによる無駄運転の発生を防ぐための改善行為が行われたか否かを判別し、その結果を閾値調整部１０７に出力する。
【００６６】
続いて、空調管理装置１０で実施される処理について説明する。なお、空調管理装置１０で実施される初期運転処理は、第１の実施形態に係る空調管理装置１で実施される初期運転処理と実質的に同様である。
【００６７】
空調管理装置１０で実施される通常運転処理について、図１１のフローチャートを参照して説明する。なお、第１の実施形態の通常運転処理と同じステップについては、適宜説明を簡略化する。
【００６８】
通常運転が開始され、トリガ検出部１０２がトリガを検出すると（ステップＳ３０１；Ｙｅｓ）、判定用データ生成部１０３は、判定に使用する運転データが蓄積（記憶）されるまで待機し（ステップＳ３０２）、所定時間経過後の運転データの内容から無駄運転判定用のデータを生成する（ステップＳ３０３）。続いて、無駄運転判定部１０４は、無駄運転判定用のデータと閾値記憶部１０９に記憶されている閾値データとを比較することにより無駄運転の有無を判定し（ステップＳ３０４）、その結果生成した判定結果データを判定結果記憶部１１０に記憶する（ステップＳ３０５）。続いて、ステップＳ３０４で無駄運転有りと判定した場合（ステップＳ３０６；Ｙｅｓ）、無駄運転報知１０５は、無駄運転の発生をユーザに報知する（ステップＳ３０７）。なお、以上のステップＳ３０１〜ステップＳ３０７までの一連の処理ステップは、第１の実施形態における通常運転処理の処理ステップ（図８のステップＳ２０１〜ステップＳ２０７）と実質的に同一である。
【００６９】
ステップＳ３０７で無駄運転を報知した後、改善行為判定部１１１は、無駄運転の報知から所定時間経過後の運転データが運転データ記憶部１０８に格納されまで待機する（ステップＳ３０８）。ここでは、無駄運転の報知から５分、１０分、及び、１５分経過後の各運転データが運転データ記憶部１０８に格納されるまで待機することとする。
【００７０】
続いて、無駄運転の報知から所定時間経過後の運転データが格納されると、改善行為判定部１１１は、当該運転データの内容から、ユーザにより無駄運転の発生を防ぐための改善行為がなされたか否かを判別する（ステップＳ３０９）。例えば、ユーザによる無駄運転の発生を防ぐための改善行為は、例えば、冷気が逃げないように開いていた窓やドアを閉めるなどの行為が該当する。
【００７１】
なお、ステップＳ３０１で検出したトリガが「冷房運転開始」トリガであれば、以下のようにして改善行為がなされたか否かを判別すればよい。まず、改善行為判定部１１１は、無駄運転の報知から５分、１０分、及び１５分経過後の各運転データを取得する。続いて、改善行為判定部１１１は、取得した各運転データから、無駄運転報知から５分後、１０分後、及び１５分経過後の温度変化率を算出する。続いて、改善行為判定部１１１は、算出した各温度変化率の絶対値と、閾値記憶部１０９に記憶されている「冷房運転開始」トリガに対応する閾値データの各時間経過毎の閾値（温度変化率）とを比較する。そして、判定評価部１１１は、比較した結果、無駄運転報知から５分後、１０分後、及び１５分経過後の各温度変化率が、全て対応する閾値以上であれば、改善行為がなされたものと判別し、それ以外の場合は、改善行為がなされていないものと判別すればよい。
または、改善行為判定部１１１は、無駄運転報知から所定時間前後の運転データを複数取得する。そして、改善行為判定部１１１は、取得した複数の運転データから、無駄運転報知後の時間に対する室温低下の割合が、無駄運転報知前の時間に対する室温低下の割合よりも所定値以上大きいか否かを判別し、大きい場合に、改善行為があったものと判別してもよい。
【００７２】
また、ステップＳ３０１で検出したトリガが「冷房定常」トリガであれば、以下のようにして改善行為がなされたか否かを判別すればよい。まず、改善行為判定部１１１は、無駄運転の報知から５分、１０分、及び１５分経過後の各運転データを取得する。続いて、改善行為判定部１１１は、取得した各運転データから、無駄運転報知から５分後、１０分後、及び１５分経過後の温度変化率を算出する。続いて、改善行為判定部１１１は、算出した各温度変化率の絶対値と、閾値記憶部１０９に記憶されている「冷房定常」トリガに対応する閾値データの各時間経過毎の閾値とを比較する。そして、改善行為判定部１１１は、比較した結果、無駄運転報知から５分後、１０分後、及び１５分経過後の各温度変化率が、全て対応する閾値以下であれば、改善行為がなされたものと判別し、それ以外の場合は、改善行為がなされていないものと判別すればよい。
または、改善行為判定部１１１は、無駄運転報知から所定時間前後の運転データを複数取得する。そして、改善行為判定部１１１は、取得した複数の運転データから、無駄運転報知後の設定温度と室温との差が、無駄運転報知前よりも小さくなっているか否かを判別し、小さくなっている場合に、改善行為があったものと判別してもよい。
【００７３】
改善行為がなされたと判定された場合（ステップＳ３０９；Ｙｅｓ）、ユーザが無駄運転の報知を正しいと評価し、その後改善行為を行ったものと推定される。従って、ステップＳ３０４で無駄運転有りと判定した結果は正しく、ステップＳ３１１に処理は移る。
【００７４】
また、改善行為がなされていないと判定された場合（ステップＳ３０９；Ｎｏ）、ユーザが無駄運転の報知は誤っていると評価し、その後何らの改善行為を行わなかったものと推定される。従って、閾値調整部１０７は、ステップＳ３０５で無駄運転有りとして記憶した判定結果データを無駄運転無しを示すデータに更新し（ステップＳ３１０）、ステップＳ３１１に処理を移す。
【００７５】
ステップＳ３１１において、閾値調整部１０７は、判定結果記憶部１１０に記憶されている各判定結果データの内容に基づいて、閾値データの各閾値を調整する。なお、この処理は、通常運転時における処理（図８のステップＳ２１０）と実質的に同一の処理である。閾値の調整が終了すると、ステップＳ３０１に処理は戻る。以上のようにして、トリガを検出した際に無駄運転を判定して報知し、ユーザによる改善行為の有無に応じて閾値を調整する一連の処理を繰り返す。
【００７６】
このように、空調管理装置１０では、無駄運転の報知後に、無駄運転を防ぐための改善行為が行われたか否かが判別される。そして、改善行為が行われた場合は無駄運転が有り、改善行為が行われなかった場合は無駄運転が無いとユーザが評価したものと判断し、その判断結果を反映して、無駄運転判定用の閾値を調整する。従って、空調管理装置１０は、第１の実施形態の空調管理装置１と同様に、精度よく無駄運転を判定することが可能となる。また、ユーザは、無駄運転の判定に対して、直接的に評価結果の入力操作を行う必要がないため、利便性をより向上させることができる。また、空調管理装置１０は、ユーザから評価入力を受け付けるためのボタン等を備える必要がないため、搭載部品数を低減でき、小型化や低コスト化も期待できる。
【００７７】
なお、本発明は、上記各実施形態に限定されず、本発明の要旨を逸脱しない範囲での種々の変更は勿論可能である。
【００７８】
例えば、上記各実施形態では、無駄運転判定用のデータとして、トリガ検出時から５分後、１０分後、及び、１５分後の３個の温度変化率を用いたが、これに限定される必要はなく、これ以上の数の温度変化率や、別の時間経過後の温度変化率を用いて無駄運転を判定してもよい。また、トリガ検出時から５分後の温度変化率のみを用いて無駄運転を判定してもよい。
【００７９】
また、上記各実施形態では、「冷房運転開始」トリガ、及び、「冷房定常」トリガ検出時に無駄運転を判定した。しかし、無駄運転の判定を開始するためのトリガは、これらに限定されるものではない。例えば、一日のうちで決まった時刻になった場合や、暖房運転が開始されたことをトリガとして、無駄運転の判定を開始してもよい。なお、この場合、これらのトリガに対応した閾値データを、閾値記憶部１０９に記憶しておく必要がある。
【００８０】
また、上記各実施形態では、無駄運転判定用のデータとして、温度変化率を用いた。しかし、室温と設定温度との差や、室温の時間に対する傾き（室温の時間変化率）など、他のデータを用いて無駄運転の有無を判定してもよい。
【００８１】
また、例えば、本発明に係る空調管理装置の動作を規定する動作プログラムを既存のパーソナルコンピュータや情報端末機器等に適用することで、当該パーソナルコンピュータ等を本発明に係る空調管理装置として機能させることも可能である。
【００８２】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【産業上の利用可能性】
【００８３】
本発明は、ビル等に設置される空調システムに好適に採用され得る。
【符号の説明】
【００８４】
１，１０ 空調管理装置
２ 空調機
３ センサ
１０１ 運転データ取得部
１０２ トリガ検出部
１０３ 判定用データ生成部
１０４ 無駄運転判定部
１０５ 無駄運転報知部
１０６ 評価入力部
１０７ 閾値調整部
１０８ 運転データ記憶部
１０９ 閾値記憶部
１１０ 判定結果記憶部
１１１ 改善行為判定部
【図１】
2012172690.tif 000003
【図２】
2012172690.tif 000004
【図３】
2012172690.tif 000005
【図４】
2012172690.tif 000006
【図５】
2012172690.tif 000007
【図６】
2012172690.tif 000008
【図７】
2012172690.tif 000009
【図８】
2012172690.tif 000010
【図９】
2012172690.tif 000011
【図１０】
2012172690.tif 000012
【図１１】
2012172690.tif 000013
【手続補正書】
【提出日】平成25年7月16日(2013.7.16)
【手続補正２】
【補正対象書類名】明細書
【補正対象項目名】０００１
【補正方法】変更
【補正の内容】
【０００１】
本発明は、空調管理装置、空調管理方法、プログラム、及び、空調システムに関する。
【手続補正３】
【補正対象書類名】明細書
【補正対象項目名】０００７
【補正方法】変更
【補正の内容】
【０００７】
本発明は、上記実情に鑑みてなされたものであり、従来よりも精度よく無駄運転の有無を判定することができる空調管理装置、空調管理方法、プログラム、及び、空調システムを提供することを目的とする。
【手続補正４】
【補正対象書類名】明細書
【補正対象項目名】０００８
【補正方法】変更
【補正の内容】
【０００８】
上記目的を達成するため、本発明の空調管理装置は、
空調機の運転データを取得する運転データ取得手段と、
前記取得した運転データと、無駄運転判定用の基準と、に基づいて、前記空調機が無駄運転をしているか否かを判定する無駄運転判定手段と、
前記無駄運転判定手段が無駄運転をしていると判定した際に、その旨を報知する無駄運転報知手段と、
前記無駄運転報知手段による無駄運転の報知から所定時間経過後に取得した運転データに基づいて、無駄運転を防止するための改善行為がなされたか否かを判定する改善行為判定手段と、
前記改善行為判定手段の判定結果に基づいて、前記無駄運転判定用の基準を調整する基準調整手段と、
を備える。
【手続補正５】
【補正対象書類名】明細書
【補正対象項目名】０００９
【補正方法】変更
【補正の内容】
【０００９】
本発明によれば、無駄運転の報知から所定時間経過後に取得した運転データから無駄運転を防止するための改善行為がなされたか否かを判定し、判定結果に基づいて、無駄運転判定用の基準を自動的に調整する。従って、従来よりも精度よく無駄運転の有無を判定することができる。
【手続補正６】
【補正対象書類名】特許請求の範囲
【補正対象項目名】全文
【補正方法】変更
【補正の内容】
【特許請求の範囲】
【請求項１】
空調機の運転データを取得する運転データ取得手段と、
前記取得した運転データと、無駄運転判定用の基準と、に基づいて、前記空調機が無駄運転をしているか否かを判定する無駄運転判定手段と、
前記無駄運転判定手段が無駄運転をしていると判定した際に、その旨を報知する無駄運転報知手段と、
前記無駄運転報知手段による無駄運転の報知から所定時間経過後に取得した運転データに基づいて、無駄運転を防止するための改善行為がなされたか否かを判定する改善行為判定手段と、
前記改善行為判定手段の判定結果に基づいて、前記無駄運転判定用の基準を調整する基準調整手段と、
を備える空調管理装置。
【請求項２】
前記基準調整手段は、前記改善行為判定手段の現在の判定結果と過去の判定結果とに基づいて、前記無駄運転判定用の基準を調整する、
請求項１に記載の空調管理装置。
【請求項３】
前記無駄運転判定手段による前記無駄運転の判定を開始するためのトリガを検出するトリガ検出手段をさらに備える、
請求項１又は２に記載の空調管理装置。
【請求項４】
前記トリガ検出手段は、前記空調機の運転により室温を一定に維持できている定常状態の発生を前記トリガとして検出する、
請求項３に記載の空調管理装置。
【請求項５】
前記無駄運転判定手段は、前記トリガ検出時からそれぞれ異なる時間経過後の複数の運転データと、前記無駄運転判定用の基準と、に基づいて、前記空調機が無駄運転をしているか否かを判定する、
請求項３又は４に記載の空調管理装置。
【請求項６】
空調機の運転データを取得する運転データ取得ステップと、
前記取得した運転データと、無駄運転判定用の基準と、に基づいて、前記空調機が無駄運転をしているか否かを判定する無駄運転判定ステップと、
前記無駄運転判定ステップで無駄運転をしていると判定した際に、その旨を報知する無駄運転報知ステップと、
前記無駄運転報知ステップによる無駄運転の報知から所定時間経過後に取得した運転データに基づいて、無駄運転を防止するための改善行為がなされたか否かを判定する改善行為判定ステップと、
前記改善行為判定ステップでの判定結果に基づいて、前記無駄運転判定用の基準を調整する基準調整ステップと、
を備える空調管理方法。
【請求項７】
コンピュータを、
空調機の運転データを取得する運転データ取得手段、
前記取得した運転データと、無駄運転判定用の基準と、に基づいて、前記空調機が無駄運転をしているか否かを判定する無駄運転判定手段、
前記無駄運転判定手段が無駄運転をしていると判定した際に、その旨を報知する無駄運転報知手段、
前記無駄運転報知手段による無駄運転の報知から所定時間経過後に取得した運転データに基づいて、無駄運転を防止するための改善行為がなされたか否かを判定する改善行為判定手段、
前記改善行為判定手段の判定結果に基づいて、前記無駄運転判定用の基準を調整する基準調整手段、
として機能させるプログラム。
【請求項８】
空調機と、前記空調機を管理する空調管理装置と、を備える空調システムであって、
前記空調管理装置は、
前記空調機の運転データを取得する運転データ取得手段と、
前記取得した運転データと、無駄運転判定用の基準と、に基づいて、前記空調機が無駄運転をしているか否かを判定する無駄運転判定手段と、
前記無駄運転判定手段が無駄運転をしていると判定した際に、その旨を報知する無駄運転報知手段と、
前記無駄運転報知手段による無駄運転の報知から所定時間経過後に取得した運転データに基づいて、無駄運転を防止するための改善行為がなされたか否かを判定する改善行為判定手段と、
前記改善行為判定手段の判定結果に基づいて、前記無駄運転判定用の基準を調整する基準調整手段と、を有する
空調システム。
【国際調査報告】
2012172690.tif 000014
2012172690.tif 000015
2012172690.tif 000016
2012172690.tif 000017